(57)【要約】【課題】撮影が失敗する確率を低減することができる放射線撮像システムを提供すること。【解決手段】本発明に係る放射線撮像システムは、放射線画像の読影者によって適切でないと判断された放射線画像が撮像されたときの撮像条件と当該撮像条件で放射線画像が撮像された撮像部位とを対応づけて格納する撮像情報格納部と、被検体の放射線画像を撮像する前に、被検体の放射線画像を撮像する撮像条件及び被写体の撮像部位を設定する撮像情報設定部と、撮像情報設定部が設定した撮像条件が、撮像情報設定部が設定した撮像部位に対応づけて撮像情報格納部が格納している撮像条件を含む予め定められた範囲内にある場合に、ユーザに警告する警告部とを備える。【選択図】図２
2008188335.tif 000002
【特許請求の範囲】
【請求項１】
放射線画像の読影者によって適切でないと判断された放射線画像が撮像されたときの撮像条件を格納する撮像情報格納部と、
被検体の放射線画像を撮像する前に、被検体の放射線画像を撮像する撮像条件を設定する撮像情報設定部と、
前記撮像情報設定部が設定した撮像条件が前記撮像情報格納部が格納している撮像条件を含む予め定められた範囲内にある場合に、ユーザに警告する警告部と
を備える放射線撮像システム。
【請求項２】
前記撮像情報格納部は、適切でなかった複数の撮像条件を格納しており、
前記警告部は、前記撮像情報設定部が設定した撮像条件が前記撮像情報格納部が格納している複数の撮像条件が示す範囲内にある場合に、ユーザに警告する
請求項１に記載の放射線撮像システム。
【請求項３】
前記撮像情報格納部が格納している撮像条件を含む予め定められた範囲内にある撮像条件が満たすべき条件を格納する条件格納部
をさらに備え、
前記警告部は、前記撮像情報設定部が設定した撮像条件が前記条件格納部が格納している条件を満たす場合に、ユーザに警告する
請求項１に記載の放射線撮像システム。
【請求項４】
前記撮像情報格納部は、適切でなかった撮像条件と当該撮像条件で撮像された放射線画像とを対応づけて格納しており、
前記警告部は、前記撮像情報設定部が設定した撮像条件が前記撮像情報格納部が格納している撮像条件を含む予め定められた範囲内にある場合に、当該撮像条件に対応づけて前記撮像情報格納部が格納している放射線画像を撮像者にさらに提示する
請求項１に記載の放射線撮像システム。
【請求項５】
前記撮像情報設定部は、被検体の放射線画像を撮像する前に、被検体の放射線画像を撮像する撮像条件及び被検体の撮像部位を設定し、
前記撮像情報格納部は、適切でなかった撮像条件と当該撮像条件で放射線画像が撮像された撮像部位とを対応づけて格納しており、
前記警告部は、前記撮像情報設定部が設定した撮像条件が、前記撮像情報設定部が設定した撮像部位に対応づけて前記撮像情報格納部が格納している撮像条件を含む予め定められた範囲内にある場合に、ユーザに警告する
請求項１に記載の放射線撮像システム。
【請求項６】
前記撮像情報設定部は、被検体の放射線画像を撮像する前に、被検体の放射線画像を撮像する撮像条件及び当該被検体を特定する被検体特定情報を設定し、
前記撮像情報格納部は、適切でなかった撮像条件と当該撮像条件で放射線画像が撮像された被検体を特定する被検体特定情報とを対応づけて格納しており、
前記警告部は、前記撮像情報設定部が設定した撮像条件が、前記撮像情報設定部が設定した被検体特定情報に対応づけて前記撮像情報格納部が格納している撮像条件を含む予め定められた範囲内にある場合に、ユーザに警告する
請求項１に記載の放射線撮像システム。
【請求項７】
前記撮像情報設定部は、被検体の放射線画像を撮像する前に、被検体の放射線画像を撮像する撮像者を特定する撮像者特定情報を設定し、
前記撮像情報格納部は、適切でなかった撮像条件と当該撮像条件で放射線画像を撮像した撮像者を特定する撮像者特定情報とを対応づけて格納し、
前記警告部は、前記撮像情報設定部が設定した撮像条件が、前記撮像情報設定部が設定した撮像者特定情報に対応づけて前記撮像情報格納部が格納している撮像条件を含む予め定められた範囲内にある場合に、ユーザに警告する
請求項１に記載の放射線撮像システム。
【請求項８】
前記撮像情報設定部は、被検体の放射線画像を撮像する前に、被検体の放射線画像を撮像する撮像機器を特定する撮像機器特定情報を設定し、
前記撮像情報格納部は、適切でなかった撮像条件と当該撮像条件で放射線画像を撮像した撮像機器を特定する撮像機器特定情報とを対応づけて格納し、
前記警告部は、前記撮像情報設定部が設定した撮像条件が、前記撮像情報設定部が設定した撮像機器特定情報に対応づけて前記撮像情報格納部が格納している撮像条件を含む予め定められた範囲内にある場合に、ユーザに警告する
請求項１に記載の放射線撮像システム。
【請求項９】
被検体を通過した放射線によって放射線画像を撮像する放射線画像撮像部と、
前記放射線画像撮像部が撮像した放射線画像の撮像条件を取得する撮像情報取得部と、
前記放射線画像撮像部が撮像した放射線画像の撮像条件が適切でなかったことを示す不適情報をユーザから入力する入力部と
をさらに備え、
前記撮像情報格納部は、前記入力部から不適情報が入力された場合に、前記撮像情報取得部が取得した撮像条件を格納する
請求項１に記載の放射線撮像システム。
【請求項１０】
前記入力部は、前記放射線画像撮像部が撮像した放射線画像の撮像条件が適切でなかったことを示す不適情報を、放射線画像の読影者から入力し、
前記撮像情報格納部は、前記入力部から不適情報が入力された場合に、前記撮像情報取得部が取得した撮像条件と不適情報を入力した読影者を特定する読影者特定情報とを対応づけて格納し、
前記撮像情報設定部は、被検体の放射線画像を新たに撮像する前に、当該放射線画像を診断する読影者を特定する読影者特定情報を設定し、
前記警告部は、前記撮像情報設定部が設定した撮像条件が、前記撮像情報設定部が設定した読影者特定情報に対応づけて前記撮像情報格納部が格納している撮像条件を含む予め定められた範囲内にある場合に、ユーザに警告する
請求項９に記載の放射線撮像システム。
【請求項１１】
放射線画像の読影者によって適切でないと判断された放射線画像が撮像されたときの撮像条件を格納する撮像情報格納段階と、
被検体の放射線画像を撮像する前に、被検体の放射線画像を撮像する撮像条件を設定する撮像情報設定段階と、
前記撮像情報設定段階において設定された撮像条件が前記撮像情報格納段階において格納されている撮像条件を含む予め定められた範囲内にある場合に、ユーザに警告する警告段階と
を備える放射線撮像方法。
【請求項１２】
放射線撮像装置用のプログラムであって、前記放射線撮像装置を、
放射線画像の読影者によって適切でないと判断された放射線画像が撮像されたときの撮像条件を格納する撮像情報格納部、
被検体の放射線画像を撮像する前に、被検体の放射線画像を撮像する撮像条件を設定する撮像情報設定部、
前記撮像情報設定部が設定した撮像条件が前記撮像情報格納部が格納している撮像条件を含む予め定められた範囲内にある場合に、ユーザに警告する警告部
として機能させるプログラム。
【発明の詳細な説明】
【技術分野】
【０００１】
本発明は、放射線撮像システム、放射線撮像方法、及びプログラムに関する。特に本発明は、放射線画像を撮像する放射線撮像システム及び放射線撮像方法、並びに放射線撮像システム用のプログラムに関する。
【背景技術】
【０００２】
乳房撮影における撮影条件と当該撮影条件で使用されるカセッテのカセッテＩＤが予め記憶されており、入力された撮影オーダの撮影部位が乳房である場合には、撮影オーダに含まれる撮影条件に対応するカセッテＩＤが読み出され、撮影オーダ情報と読み出されたカセッテＩＤとが対応付けて登録される医用画像撮影システムが知られている（例えば、特許文献１参照。）。また、撮影時において検出モジュールのタイプを識別し、検出モジュールのタイプと検査メニューのタイプが異なる場合に警告する検査システムが知られている（例えば、特許文献２参照。）。
【特許文献１】特開２００５−３４２３０５号公報
【特許文献２】特開２００３−２１０４４８号公報
【発明の開示】
【発明が解決しようとする課題】
【０００３】
例えば患者を寝台に寝かせたまま撮影する場合等のように、Ｘ線管球の位置、検出器の位置、患者の位置、患者の姿勢等を自由に調整することができない場合がある。上記特許文献１に記載の医用画像撮影システムによると、撮影オーダに含まれる撮影条件を撮影現場に合わせて変更すると、登録されたカセッテでは適切に撮影することができなくなってしまう場合がある。また、撮影条件を撮影オーダ通りに設定して撮影したとしても、患者及びＸ線管球の位置を自由に調製することができなければ、診断に適さない画像が撮影されてしまう場合がある。同様に、上記特許文献２に記載の検査システムにおいても、診断に適さない画像が撮影されてしまう虞がある。
【０００４】
そこで本発明は、上記課題を解決することができる放射線撮像システム、放射線撮像方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における放射線撮像システムは、放射線画像の読影者によって適切でないと判断された放射線画像が撮像されたときの撮像条件を格納する撮像情報格納部と、被検体の放射線画像を撮像する前に、被検体の放射線画像を撮像する撮像条件を設定する撮像情報設定部と、撮像情報設定部が設定した撮像条件が撮像情報格納部が格納している撮像条件を含む予め定められた範囲内にある場合に、ユーザに警告する警告部とを備える。
【０００６】
撮像情報格納部が格納している撮像条件を含む予め定められた範囲内にある撮像条件が満たすべき条件を格納する条件格納部をさらに備え、警告部は、撮像情報設定部が設定した撮像条件が条件格納部が格納している条件を満たす場合に、ユーザに警告してよい。
【０００７】
撮像情報格納部は、適切でなかった撮像条件と当該撮像条件で撮像された放射線画像とを対応づけて格納しており、警告部は、撮像情報設定部が設定した撮像条件が撮像情報格納部が格納している撮像条件を含む予め定められた範囲内にある場合に、当該撮像条件に対応づけて撮像情報格納部が格納している放射線画像を撮像者にさらに提示してよい。
【０００８】
本発明の第２の形態における放射線撮像方法は、放射線画像の読影者によって適切でないと判断された放射線画像が撮像されたときの撮像条件を格納する撮像情報格納段階と、被検体の放射線画像を撮像する前に、被検体の放射線画像を撮像する撮像条件を設定する撮像情報設定段階と、撮像情報設定段階において設定された撮像条件が撮像情報格納段階において格納されている撮像条件を含む予め定められた範囲内にある場合に、ユーザに警告する警告段階とを備える。
【０００９】
本発明の第３の形態によると、放射線撮像装置用のプログラムであって、放射線撮像装置を、放射線画像の読影者によって適切でないと判断された放射線画像が撮像されたときの撮像条件を格納する撮像情報格納部、被検体の放射線画像を撮像する前に、被検体の放射線画像を撮像する撮像条件を設定する撮像情報設定部、撮像情報設定部が設定した撮像条件が撮像情報格納部が格納している撮像条件を含む予め定められた範囲内にある場合に、ユーザに警告する警告部として機能させる。
【００１０】
なお、上記の発明の概要は、本発明の必要な特徴の全てを列挙したものではなく、これらの特徴群のサブコンビネーションもまた、発明となりうる。
【発明の効果】
【００１１】
本発明によれば、撮影が失敗する確率を低減することができる放射線撮像システムを提供することができる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、一実施形態に係る放射線撮像システム１００の利用環境の一例を示す。放射線撮像システム１００は、放射線撮像装置１１０、通信経路１５０、無線通信装置１５２、診断装置１１５ａ及びｂ（以下、診断装置１１５と総称する。）、サーバ１７０、データベース１７２を備える。放射線撮像装置１１０は、カセッテ１２０及び放射線発生装置１３０を有する。放射線発生装置１３０は、モニタ１４０、入力装置１４２、放射線源１３２を含む。
【００１４】
診断装置１１５ａは、モニタ１６０ａ及び入力装置１６２aを有し、診断装置１１５ｂは、モニタ１６０ｂ及び入力装置１６２ｂを有する。なお、以後、モニタ１６０ａ及びｂをモニタ１６０と総称し、入力装置１６２a及びｂを入力装置１６２と総称する。なお、図面の都合上、一の放射線撮像装置１１０しか示されていないが、放射線撮像システム１００は複数の放射線撮像装置１１０を備えてよい。
【００１５】
データベース１７２は、放射線撮像装置１１０が撮像した放射線画像と、放射線画像を撮像したときの撮像条件と、放射線画像が撮像されたときの撮像条件の適切さのレベルを示す適切レベル情報とを対応づけて格納している。なお、適切レベル情報は、放射線撮像装置１１０によって撮像されたときに放射線技師１８０によって入力されてよいし、医師１９０ａ及びｂ（以下、医師１９０と総称する。）が診断装置１１５により放射線画像を読影したときに、入力装置１６２から入力されてもよい。
【００１６】
次に、新たに被検体の放射線画像を撮像する場合のフローについて説明する。サーバ１７０は、医師１９０によって入力装置１６２から入力された患者の撮像情報を受け取る。撮像情報は、患者を識別する識別ＩＤ、患者の氏名、年齢、性別、体重、撮像部位、及び撮像方向（例えば、Ｐ→Ａ、Ｌ→Ｒ等）を含む。そして、サーバ１７０は、撮像オーダに含まれる情報及び医師１９０を識別する医師ＩＤを含む撮像オーダを生成する。
【００１７】
放射線撮像装置１１０は、放射線技師１８０の操作によって患者の放射線画像を撮像する。放射線撮像装置１１０は移動式の放射線撮像装置であってよく、患者がいる病室又は患者の自宅で放射線技師１８０の操作により放射線画像を撮影してよい。そして、放射線撮像装置１１０は、患者を撮像する前に、通信経路１５０及び放射線撮像装置１１０の近傍の無線通信装置１５２を通じて、患者の撮像オーダをサーバ１７０から取得する。そして、モニタ１４０は、撮像オーダに含まれる患者ＩＤ、患者の氏名、年齢、性別、体重、撮像部位、撮像方向、及び医師ＩＤを表示する。
【００１８】
そして、放射線技師１８０は、モニタ１６０に表示された年齢、性別、体重、撮像部位等に基づいて、撮像条件を決定して入力装置１４２から入力する。撮像条件は、管電流、管電圧、放射線源１３２の絞り径、照射時間、並びに放射線源１３２と患者との距離、放射線源１３２とカセッテ１２０の距離を含む。なお、放射線撮像装置１１０は、撮像条件をサーバ１７０から受け取ってもよい。そして、放射線技師１８０は、決定した撮像条件に従って、カセッテ１２０、患者、及び放射線源１３２の位置を調整する。そして、放射線技師１８０は、撮像準備が完了した旨を入力装置１４２を通じて入力する。撮像準備が完了した旨が入力されると、放射線撮像装置１１０は、放射線源１３２と患者との距離、放射線源１３２とカセッテ１２０の距離を測定して、測定した距離と、管電流、管電圧、放射線源１３２の絞り径、照射時間とを含む撮像条件を、サーバ１７０に送信する。
【００１９】
サーバ１７０は、撮像条件を放射線撮像装置１１０から受け取ると、不適切なレベルを示す適切レベルとともに格納されている撮像条件を画像データベース１７２から抽出して、抽出した撮像条件と放射線撮像装置１１０から受け取った撮像条件とを比較する。そして、サーバ１７０は、放射線撮像装置１１０から受け取った撮像条件と、不適情報が付帯された撮像条件との間の一致度が予め定められた一致度より高い場合に、放射線撮像装置１１０にエラーを通知する。放射線撮像装置１１０は、サーバ１７０からエラーを受け取ると、撮像条件が不適切である旨をモニタ１４０に表示して放射線技師１８０に警告する。このため、放射線撮像システム１００によれば、放射線技師１８０が不適切な撮像条件で撮像してしまう可能性を低減することができる。  さらに、警告を表示する際には、その理由（曝射線量不足、管電圧不適切（高すぎる／低すぎる）など）も一緒に表示すれば、放射線技師１８０も容易に警告が発生した原因を把握できるので、撮影条件を変更する際の操作性が向上する。
【００２０】
なお、カセッテ１２０は、輝尽性蛍光体を使用したイメージングプレート、放射線に感光する放射線フィルム（増感紙も含む）を含んでよい。また、患者の放射線画像を撮像するカセッテ１２０は放射線画像を撮像する放射線検出器の一例であって、そのような放射線検出器としては、ＦＰＤ等のような固体放射線検出器を含む様々なデバイスを使用することができる。なお、本実施形態における放射線とは、Ｘ線、γ線等の電磁放射線、或いはアルファ線等の粒子線であってよい。なお、放射線撮像装置１１０は、ＣＴ装置等のような断層撮影装置等を含むが、撮影方式はそれらに限定されるものではない。
【００２１】
図２は、放射線撮像システム１００のブロック構成の一例を示す。放射線撮像システム１００は、撮像情報格納部２００、入力部２１０、撮像情報設定部２２０、撮像情報取得部２３０、放射線画像撮像部２４０、撮像制御部２５０、表示部２６０、警告部２７０、及び条件格納部２８０を備える。入力装置１４２及び入力装置１６２は、入力部２１０の一例である。また、モニタ１４０及びモニタ１６０は、表示部２６０の一例である。また、データベース１７２は、撮像情報格納部２００の一例である。また、サーバ１７０が撮像制御部２５０を有してもよい。
【００２２】
放射線画像撮像部２４０は、被検体を通過した放射線によって放射線画像を撮像する。例えば、放射線画像撮像部２４０は、被検体を通過したＸ線によってＸ線画像を撮像してよい。なお、Ｘ線画像は放射線画像の一例である。そして、撮像情報取得部２３０は、放射線画像撮像部２４０が撮像した放射線画像の撮像条件を取得する。例えば、撮像情報取得部２３０は、放射線技師１８０によってＸ線発生装置に設定された撮像条件を取得してよいし、オーダ情報に含まれる撮像条件を取得してもよい。そして、表示部２６０は、放射線画像撮像部２４０が撮像した放射線画像を表示する。
【００２３】
そして、入力部２１０は、放射線画像撮像部２４０が撮像した放射線画像の撮像条件が適切でなかったことを示す不適情報をユーザから入力する。例えば、入力部２１０は、放射線画像撮像部２４０が撮像した放射線画像の撮像条件が適切でなかったことを示す不適情報を、放射線画像の読影者から入力する。なお、放射線画像の読影者とは、放射線技師１８０及び医師１９０を含む。例えば、放射線技師１８０は、モニタ１４０に表示された放射線画像の画像内容に基づいて撮像条件が適切でなかった旨を判断した場合には、モニタ１４０のタッチパネル機能又は入力装置１４２による情報入力機能を用いて、不適情報を入力する。他にも、医師１９０は、表示部２６０に表示された放射線画像の画像内容に基づいて撮像条件が適切でなかった旨を判断した場合には、モニタ１６０のタッチパネル機能又は入力装置１６２による情報入力機能を用いて、不適情報を入力する。そして、撮像情報格納部２００は、入力部２１０から不適情報が入力された場合に、撮像情報取得部２３０が取得した撮像条件を格納する。以上の動作により、撮像情報格納部２００は、放射線画像の読影者によって適切でないと判断された放射線画像が撮像されたときの撮像条件を格納する。
【００２４】
撮像情報設定部２２０は、被検体の放射線画像を撮像する前に、被検体の放射線画像を撮像する撮像条件を設定する。撮像制御部２５０は、撮像情報設定部２２０が設定した撮像条件が撮像情報格納部２００が格納している撮像条件を含む予め定められた範囲内にあるか否かを判断する。そして、警告部２７０は、撮像情報設定部２２０が設定した撮像条件が撮像情報格納部２００が格納している撮像条件を含む予め定められた範囲内にある旨を撮像制御部２５０が判断した場合に、ユーザに警告する。なお、モニタ１４０は、警告部２７０の一例であってよく、モニタ１４０がユーザへの警告情報を表示してよい。
【００２５】
なお、撮像情報格納部２００は、適切でなかった複数の撮像条件を格納している。この場合、警告部２７０は、撮像情報設定部２２０が設定した撮像条件が撮像情報格納部２００が格納している複数の撮像条件が示す範囲内にある場合に、ユーザに警告してよい。例えば、撮像情報格納部２００が４０ｋＶ、４２ｋＶ、及び４４ｋＶを格納しているとすると、撮像情報設定部２２０が設定した管電圧が４０〜４４ｋＶの範囲にある場合に、ユーザに警告してよい。
【００２６】
なお、条件格納部２８０は、撮像情報格納部２００が格納している撮像条件を含む予め定められた範囲内にある撮像条件が満たすべき条件を格納する。そして、警告部２７０は、撮像情報設定部２２０が設定した撮像条件が条件格納部２８０が格納している条件を満たす場合に、ユーザに警告する。なお、撮像情報格納部２００は、適切でなかった撮像条件と当該撮像条件で撮像された放射線画像とを対応づけて格納している。そして、警告部２７０は、撮像情報設定部２２０が設定した撮像条件が撮像情報格納部２００が格納している撮像条件を含む予め定められた範囲内にある場合に、当該撮像条件に対応づけて撮像情報格納部２００が格納している放射線画像を撮像者にさらに提示する。
【００２７】
また、撮像情報設定部２２０は、被検体の放射線画像を撮像する前に、被検体の放射線画像を撮像する撮像条件及び被検体の撮像部位を設定する。そして、撮像情報格納部２００は、適切でなかった撮像条件と当該撮像条件で放射線画像が撮像された撮像部位とを対応づけて格納している。そして、警告部２７０は、撮像情報設定部２２０が設定した撮像条件が、撮像情報設定部２２０が設定した撮像部位に対応づけて撮像情報格納部２００が格納している撮像条件を含む予め定められた範囲内にある場合に、ユーザに警告する。
【００２８】
また、撮像情報設定部２２０は、被検体の放射線画像を撮像する前に、被検体の放射線画像を撮像する撮像条件及び当該被検体を特定する被検体特定情報を設定する。そして、撮像情報格納部２００は、適切でなかった撮像条件と当該撮像条件で放射線画像が撮像された被検体を特定する被検体特定情報とを対応づけて格納している。そして、警告部２７０は、撮像情報設定部２２０が設定した撮像条件が、撮像情報設定部２２０が設定した被検体特定情報に対応づけて撮像情報格納部２００が格納している撮像条件を含む予め定められた範囲内にある場合に、ユーザに警告する。
【００２９】
また、撮像情報設定部２２０は、被検体の放射線画像を撮像する前に、被検体の放射線画像を撮像する撮像者を特定する撮像者特定情報を設定する。そして、撮像情報格納部２００は、適切でなかった撮像条件と当該撮像条件で放射線画像を撮像した撮像者を特定する撮像者特定情報とを対応づけて格納する。そして、警告部２７０は、撮像情報設定部２２０が設定した撮像条件が、撮像情報設定部２２０が設定した撮像者特定情報に対応づけて撮像情報格納部２００が格納している撮像条件を含む予め定められた範囲内にある場合に、ユーザに警告する。
【００３０】
撮像情報設定部２２０は、被検体の放射線画像を撮像する前に、被検体の放射線画像を撮像する撮像機器を特定する撮像機器特定情報を設定する。そして、撮像情報格納部２００は、適切でなかった撮像条件と当該撮像条件で放射線画像を撮像した撮像機器を特定する撮像機器特定情報とを対応づけて格納する。そして、警告部２７０は、撮像情報設定部２２０が設定した撮像条件が、撮像情報設定部２２０が設定した撮像機器特定情報に対応づけて撮像情報格納部２００が格納している撮像条件を含む予め定められた範囲内にある場合に、ユーザに警告する。
【００３１】
他にも、撮像情報格納部２００は、入力部２１０から不適情報が入力された場合に、撮像情報取得部２３０が取得した撮像条件と不適情報を入力した読影者を特定する読影者特定情報とを対応づけて格納する。そして、撮像情報設定部２２０は、被検体の放射線画像を新たに撮像する前に、当該放射線画像を診断する読影者を特定する読影者特定情報を設定する。そして、警告部２７０は、撮像情報設定部２２０が設定した撮像条件が、撮像情報設定部２２０が設定した読影者特定情報に対応づけて撮像情報格納部２００が格納している撮像条件を含む予め定められた範囲内にある場合に、ユーザに警告する。
【００３２】
以上説明したように、放射線撮像システム１００によると、過去に撮像に失敗したときの撮像条件に近い撮像条件で撮像しようとすると放射線技師１８０に警告されるので、撮像が失敗してしまう確率を低減することができる。このため放射線技師１８０が撮像をやり直す頻度を低減することができ、効率的に撮像を進めることができる。また、撮影が失敗することによって患者及び放射線技師１８０が無駄に被爆してしまうことを未然に防ぐことができる。なお、被検体は、放射線による撮像対象となる対象物であり、放射線による検診を受ける人物及び動物、放射線によって非破壊検査される工業製品を含む。
【００３３】
図３は、放射線撮像システム１００における放射線画像の読影フローの一例を示す。放射線撮像システム１００では、放射線技師１８０及び医師１９０がともに放射線画像を読影して不適情報を入力することができるが、ここでは、医師１９０による読影フローの一例を示す。
【００３４】
診断装置１１５は、医師１９０の指示に基づいてＸ線画像を取得する（Ｓ３０２）。そして、モニタ１６０はＸ線画像を表示する（Ｓ３０４）。なお、Ｓ３０２において、診断装置１１５はＸ線画像に付帯されている撮像条件も取得してよく、Ｓ３０４においてＸ線画像とともに撮像条件を表示してもよい。そして、医師１９０は、モニタ１６０に表示されたＸ線画像の画像内容を観察して、撮像条件が適切か否かを判断する。撮像条件が適切でなければ、医師１９０は、例えば入力装置１６２を用いて適切レベルが×であることを示す不適情報を入力する。これにより、入力部２１０から×の適切レベルが入力され、撮像情報格納部２００に格納しているＸ線画像に×の適切レベルが付帯される（Ｓ３０８）。そして、モニタ１６０は、次のＸ線画像を読影するか否かを表示する。次のＸ線画像を読影する旨が医師１９０から入力されると、Ｓ３０２に処理が移り、次のＸ線画像を読影しない旨が入力されると処理を終了する。
【００３５】
なお、Ｓ３０６において撮像条件が適切である旨が判断されると、医師１９０は、Ｘ線画像を撮像したときの撮像条件の適切さの度合いを示す適切レベルを入力部２１０から入力してよい。この場合、撮像情報格納部２００は、入力部２１０から入力された適切レベルを、Ｘ線画像及び撮像条件に対応付けて格納してよい。なお、適切レベルについては図５に関連して説明する。以上の動作により、撮像情報格納部２００は、撮像条件が適切でなかったと判断された撮像条件を不適情報に対応づけて格納する。
【００３６】
図４は、放射線撮像システム１００における放射線画像の撮像フローの一例を示す。放射線技師１８０は、撮像前に放射線技師ＩＤを入力部２１０から入力する。そして、放射線技師１８０は、被検体特定情報の一例である患者ＩＤと、読影者特定情報の一例である医師ＩＤと、撮像部位とを入力部２１０から放射線発生装置１３０に入力する。なお、撮像オーダから患者ＩＤ、医師ＩＤ、撮像部位が放射線発生装置１３０に入力されてもよい。そして、放射線発生装置１３０は、放射線発生装置１３０を識別するＸ線装置ＩＤ及びカセッテ１２０を識別するカセッテＩＤを取得する（Ｓ４０６）。なお、放射線撮像装置１１０は、放射線発生装置１３０のメモリ及びカセッテ１２０のメモリにそれぞれ記憶されているＸ線装置ＩＤ及びカセッテＩＤを取得してもよい。
【００３７】
そして、放射線技師１８０は入力部２１０から撮像条件を入力することによって撮像条件が設定される（Ｓ４０８）。なお、撮像情報取得部２３０が取得した撮像オーダに含まれる撮像条件が撮像情報設定部２２０に設定されてよい。そして、放射線技師１８０は、患者の位置、放射線源１３２の位置等の撮影状況に応じて、設定された撮像条件を入力部２１０から変更してよい。そして、撮像制御部２５０は、撮像情報設定部２２０により設定された撮像条件がエラーとなる条件を満たすか否かを判断する（Ｓ４１０）。具体的には、撮像制御部２５０は、撮像情報設定部２２０により設定された撮像条件と撮像情報格納部２００が格納している撮像条件と関係が、条件格納部２８０が格納している条件を満たす場合に、撮像情報設定部２２０が設定した撮像条件はエラーとなる条件を満たす旨を判断する。
【００３８】
Ｓ４１０において撮像情報設定部２２０が設定した撮像条件がエラーとなる条件を満たすと判断された場合には、警告部２７０は警告メッセージを表示する（Ｓ４１２）。なお、モニタ１４０は警告部２７０の一例であってよく、この場合、モニタ１４０が警告メッセージを表示する。
【００３９】
そして、放射線技師１８０は、撮像を続行するか否かを判断する（Ｓ４１４）。放射線技師１８０は、撮像を続行しない旨を判断すると、放射線撮像装置１１０はＳ４０８に処理を移行して、放射線技師１８０に撮像条件を再度入力し直させる。
【００４０】
放射線技師１８０が撮像を続行する旨を判断した場合には、放射線技師１８０は、入力部２１０から撮像を続行する旨を入力する。入力部２１０から撮像を続行する旨を入力されると、撮像情報格納部２００は、撮像情報格納部２００が格納している撮像条件のうち、撮像情報設定部２２０により設定された撮像条件との間に条件格納部２８０が格納している条件を満たすと判断された撮像条件の適切レベルを上げる（Ｓ４１６）。そして、放射線撮像装置１１０は患者を撮像する（Ｓ４１８）。そして、Ｓ４１８において患者を撮像したときの撮像条件を、Ｘ線画像に対応づけて撮像情報格納部２００に記録する（Ｓ４２０）。具体的には、サーバ１７０が、撮像したときの撮像条件及びＸ線画像を放射線撮像装置１１０から取得して、撮像条件をＸ線画像に付帯してデータベース１７２に記録する。
【００４１】
図５は、撮像情報格納部２００が格納しているデータの一例をテーブル形式で示す。撮像情報格納部２００は、撮像したＸ線画像を識別する識別情報を示す撮像ＩＤと、Ｘ線画像の画像データを示す画像データと、撮像した患者を特定する患者ＩＤと、放射線技師１８０を特定する放射線技師ＩＤと、医師１９０を特定する医師ＩＤと、放射線源を特定するＸ線装置ＩＤと、Ｘ線検出器を特定するカセッテＩＤと、撮像条件データを示す撮像条件、撮像部位を示す部位と、Ｘ線画像を撮像した時刻を示す撮像時刻と、Ｘ線画像を撮像した場所を示す撮像場所と、医師１９０又は放射線技師１８０が入力した適切レベルと、条件にマッチした回数を示すヒット回数と対応づけて格納する。
【００４２】
なお、Ｘ線装置ＩＤとは放射線源１３２を特定する情報であってよい。また、放射線撮像システム１００では、カセッテ１２０以外にも放射線を検出する様々な放射線検出器を使用することができる。したがって、カセッテＩＤは放射線検出器を特定する情報の一例である。また、部位は、胸部、頚椎等の患者の撮影部位を特定する情報であってよい。撮像時刻は、日付と一日における時刻とを含んでよい。撮像時刻は、部屋番号、寝台番号等の、撮像した場所を特定する情報であってよい。また、撮像条件は、放射線源１３２と被検体との距離、放射線源１３２とカセッテ１２０の距離、放射線の照射時間、放射線源１３２の絞り径を含む。なお、放射線源１３２がＸ線源である場合、撮像条件は、Ｘ線源の管電流、管電圧を含んでよい。
【００４３】
また、撮像情報格納部２００は、撮像条件の適切さを示す３段階のレベルを適切レベルとして格納する。×は撮像条件が不適切であった旨を示し、△及び○は撮像条件が適切であった旨を示す。なお、○は△より撮像条件が適切であった旨を示す。このように、撮像情報格納部２００は、撮像条件の適切さを示す複数のレベルに対応づけて撮像条件を格納している。
【００４４】
また、Ｓ４１６で説明したように、入力部２１０から撮像を続行する旨を入力されたときに、撮像情報格納部２００は、撮像情報設定部２２０が設定した撮像条件が、撮像情報格納部２００が格納している撮像条件を含む、条件格納部２８０が格納している範囲内にあると判断された場合に、撮像情報格納部２００は、当該撮像条件に対応づけて格納している適切レベルを上げる。例えば、撮像情報設定部２２０が設定した撮像条件が、撮像情報格納部２００が格納している撮像条件Ａを含む、条件格納部２８０が格納している範囲内にあると判断された場合であっても、入力部２１０から撮像を続行する旨を入力されると、撮像情報格納部２００は、撮像条件Ａに対応づけて格納している適切レベルを×から△に上げる。これにより、例えば撮像条件Ａが適切な撮像条件であるにも係らず不適切な撮像条件であるとして誤って撮像情報格納部２００に格納されていたとしても、放射線技師１８０が警告を受けた場合に撮像条件が適切であると判断して撮影を続行すると、その後に、撮像条件Ａに基づいて何度も警告が発せされてしまうことを未然に防ぐことができる。
【００４５】
ヒット回数は、撮像情報設定部２２０が設定した撮像条件が、撮像情報格納部２００が格納している撮像条件を含む、条件格納部２８０が格納している範囲内にあると判断された回数を示す。例えば、撮像情報設定部２２０が設定した撮像条件が撮像情報格納部２００が格納している撮像条件Ａを含む、条件格納部２８０が格納している範囲内にあると判断された場合に、撮像情報格納部２００は、撮像条件Ａに対応づけて格納しているヒット回数が示す値をインクリメントした値を、撮像条件Ａに対応づけてヒット回数として格納する。
【００４６】
図６は、条件格納部２８０が格納しているデータの一例をテーブル形式で示す。条件格納部２８０は、撮像条件に含まれる管電流、管電圧、絞り径、照射時間、及び距離の範囲を格納している。例えば、条件格納部２８０は、撮像情報格納部２００が格納している管電流に対する範囲としてΔＩを格納している。このとき、例えば撮像情報格納部２００が撮像条件として管電流Ｉを格納しているとすると、管電流Ｉを中心とするΔＩの範囲、すなわちＩ−ΔＩからＩ＋ΔＩの間に、撮像情報設定部２２０が設定した管電流の値がある場合に、撮像制御部２５０は条件格納部２８０が格納している条件を満たすと判断する。
【００４７】
なお、撮像制御部２５０は、撮像情報設定部２２０が設定した管電流、管電圧、絞り径、照射時間、及び距離の全てが、撮像情報格納部２００が格納している管電流、管電圧、絞り径、照射時間、及び距離から条件格納部２８０が定めるそれぞれの値の範囲内にある場合に、条件格納部２８０が格納している条件を満たす旨を判断してもよいし、管電流、管電圧、絞り径、照射時間、及び距離のいずれかが、条件格納部２８０が定めるそれぞれの値の範囲内にある場合に、条件格納部２８０が格納している条件を満たす旨を判断してもよい。
【００４８】
なお、撮像情報設定部２２０が設定した撮像条件が、適切レベル△又は○に対応づけて撮像情報格納部２００が格納している撮像条件（例えば、撮像条件Ｂ又はＣ）を含む、条件格納部２８０が格納している範囲内にある場合には、表示部２６０は、当該撮像条件に対応づけて撮像情報格納部２００が格納している適切レベルを表示することによって、適切レベルを放射線技師１８０に提示してもよい。
【００４９】
なお、撮像情報格納部２００が撮像条件に対応づけて格納しているヒット回数が予め定められた回数より多い場合に、撮像制御部２５０は、当該撮像条件を含む、条件格納部２８０が格納している範囲より広い範囲の撮像条件に撮像情報設定部２２０が設定した撮像条件が含まれる場合に、条件格納部２８０が格納している条件を満たす旨を判断してもよい。また、撮像制御部２５０は、撮像情報格納部２００が撮像条件に対応づけて格納しているヒット回数がより多いほど、当該撮像条件を含むより広い範囲の撮像条件に撮像情報設定部２２０が設定した撮像条件が含まれる場合に、条件格納部２８０が格納している条件を満たす旨を判断してもよい。
【００５０】
以上説明したように、過去に失敗したと判断された撮像条件に近い撮像条件で撮像しようとすると警告が発せられるので、同じような失敗を繰返すことを未然に防ぐことができる。また、撮像情報格納部２００がＸ線装置ＩＤ、医師ＩＤに対応づけて適切レベルを格納しているので、放射線技師１８０は医師１９０の好み、放射線撮像装置１１０の癖等を撮像条件に予め反映することができる。
【００５１】
図７は、表示部２６０が表示する表示画面の一例を示す。本図は、放射線撮像装置１１０のモニタ１４０の表示画面の一例である。表示部２６０は、被検者表示領域７０２、担当医師表示領域７０３、担当技師表示領域７０４、画像表示領域７１０、撮像情報入力領域７２０、適切レベル領域７３０、準備完了指示入力領域７４０、撮像強行指示入力領域７５０、撮像指示入力領域７６０を含む表示画面を表示する。適切レベル領域７３０は、複数の適切レベルをそれぞれ示す適切レベル表示領域７３２、７３４、及び７３６を含む。被検者表示領域７０２には、被検者情報が表示され、担当医師表示領域７０３には、被検者の放射線画像を読影する医師１９０の情報が表示される。また、担当技師表示領域７０３には、患者の放射線画像を撮像する放射線技師１８０の情報が表示される。
【００５２】
なお、表示部２６０は、放射線技師１８０の指がタッチされた領域を検知するタッチパネル機能とともに使用されることにより、入力部２１０としても機能する。具体的には、放射線技師１８０が撮像情報入力領域７２０に含まれる各部分領域を指でタッチすることによって、撮像部位（例えば、頚椎、胸部等）、撮像方向（Ｐ→Ａ、Ａ→Ｐ等）が放射線技師１８０から入力される。また、撮像情報入力領域７２０は、詳細条件入力領域７２２を有しており、放射線技師１８０が詳細条件入力領域７２２を指でタッチすると、表示部２６０は、上述の管電流、管電圧、絞り径、照射時間、及び距離を含む撮像条件を入力する入力メニューを表示する。撮像条件の具体的な入力方法については、撮像情報入力領域７２０における撮像部位及び撮像方向の入力方法と同様に、放射線技師１８０が指でタッチすること等による入力方法を使用することができるので、説明を省略する。
【００５３】
なお、放射線技師１８０が詳細な撮像条件を入力すると、入力された撮像条件はメモリに記憶される。そして、準備完了指示入力領域７４０がタッチされると、設定された撮像条件は放射線発生装置１３０からサーバ１７０に送信され、サーバ１７０は設定された撮像条件が適切であるか否かを判断する。サーバ１７０は、放射線発生装置１３０から受け取った撮像条件が不適切であると判断すると、該当する撮像条件に対応づけて格納している画像を放射線発生装置１３０に送信する。表示部２６０は、サーバ１７０から受け取った画像を画像表示領域７１０に表示する。また、放射線発生装置１３０から受け取った撮像条件が不適切である場合には、表示部２６０は、適切レベル領域７３０に含まれる不適切レベル表示領域７３６を他の領域７３２及び７３４より明るく表示することによって、設定した撮像条件が適切でない旨を放射線技師１８０に警告する。
【００５４】
設定した撮像条件が適切でない旨が警告されると、放射線技師１８０は撮像条件を見直す。撮像条件が適切であると判断してそのまま撮像を強行する場合には、放射線技師１８０は撮像強行指示入力領域７５０をタッチして、放射線発生装置１３０に放射線の発生を指示するとともに、カセッテ１２０に放射線の検出を指示することによって、放射線画像を撮像する。
【００５５】
なお、表示部２６０は、設定した撮像条件が適切である場合には、サーバ１７０から適切レベルを受け取り、受け取った適切レベルに対応する適切レベル表示領域７３２又は７３４を点灯させることによって、設定した撮像条件が該当する適切レベルを放射線技師１８０に知らせてもよい。
【００５６】
なお、本図においては、放射線撮像装置１１０のモニタ１４０の表示画面の一例を示したが、診断装置１１５のモニタ１６０は、当該表示画面と類似する表示内容を表示することができる。例えば、モニタ１６０は、被検者表示領域７０２、担当医師表示領域７０３、担当技師表示領域７０４、及び画像表示領域７１０に、モニタ１４０の表示内容として既に述べた情報と同様の情報を表示することができる。また、撮像情報入力領域７２０に相当する領域には、撮像された画像の撮像情報が表示される。例えば、画像表示領域７１０に表示する画像が胸部レントゲン画像である場合には、胸部の領域を点灯させることによって、撮像部位が胸部であることを医師１９０に示す。また、詳細条件入力領域７２２は、撮像条件の表示メニューを表示させる指示を受け付ける入力領域となる。また、適切レベル領域７３０に含まれる適切レベル表示領域７３２、７３４、及び７３６の領域は、複数の適切レベルをそれぞれ医師１９０に入力させる領域となる。また、モニタ１６０は、準備完了指示入力領域７４０、撮像強行指示入力領域７５０、及び撮像指示入力領域７６０の領域には、他の患者又は同じ患者の他の放射線画像を選択して画像表示領域７１０に表示させる選択入力メニューを表示してよい。
【００５７】
図８は、放射線撮像システム１００のハードウェア構成の一例を示す。放射線撮像システム１００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５８】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５９】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００６０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、放射線撮像システム１００が起動時に実行するブート・プログラムや、放射線撮像システム１００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６１】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００６２】
ＣＰＵ１５０５により実行されるプログラムは、放射線撮像システム１００を、図１から７に関連して説明した入力部２１０、撮像情報設定部２２０、撮像情報取得部２３０、放射線画像撮像部２４０、撮像制御部２５０、表示部２６０、警告部２７０、及び条件格納部２８０として機能させる。
【００６３】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを放射線撮像システム１００に提供してもよい。
【００６４】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６５】
【図１】放射線撮像システム１００の利用環境の一例を示す図である。
【図２】放射線撮像システム１００のブロック構成の一例を示す図である。
【図３】放射線画像の読影フローの一例を示す図である。
【図４】放射線画像の撮像フローの一例を示す図である。
【図５】撮像情報格納部２００が格納しているデータの一例をテーブル形式で示す図である。
【図６】条件格納部２８０が格納しているデータの一例をテーブル形式で示す図である。
【図７】表示部２６０が表示する表示画面の一例を示す図である。
【図８】放射線撮像システム１００のハードウェア構成の一例を示す図である。
【符号の説明】
【００６６】
１００  放射線撮像システム
１１０  放射線撮像装置
１１５  診断装置
１２０  カセッテ
１３０  放射線発生装置
１３２  放射線源
１４０  モニタ
１４２  入力装置
１５０  通信経路
１５２  無線通信装置
１６０  モニタ
１６２  入力装置
１７０  サーバ
１７２  データベース
１８０  放射線技師
１９０  医師
２００  撮像情報格納部
２１０  入力部
２２０  撮像情報設定部
２３０  撮像情報取得部
２４０  放射線画像撮像部
２５０  撮像制御部
２６０  表示部
２７０  警告部
２８０  条件格納部
【図１】
2008188335.tif 000003
【図２】
2008188335.tif 000004
【図３】
2008188335.tif 000005
【図４】
2008188335.tif 000006
【図５】
2008188335.tif 000007
【図６】
2008188335.tif 000008
【図７】
2008188335.tif 000009
【図８】
2008188335.tif 000010